(57)【要約】【課題】内部の圧力の増減を抑制するように空気を置換するための吸気口が設けられた貯水タンクを備えた水洗大便器において、貯水タンク内の洗浄水がオーバーフロー管を通して便器本体へ排出されるときに異音が発生することを抑制する。【解決手段】ＶＢ側逆止弁８６０は、ＶＢ側逆止弁８６０全体が水に浸かった状態において、タンク本体８２０内の水位によって作用する浮力とその自重とが釣り合うように構成されている。これにより、オーバーフロー管８９０がなるべく洗浄水で満たされた後に吸気口部８５４が閉鎖される。つまり、貯水タンク８００内の空気がほぼ排出された後に吸気口部８５４が閉鎖されるため、貯水タンク８００内の洗浄水がオーバーフロー管８９０を通して便器本体２００（ジェット吐水口２１４）から排出されるときに異音が発生することを抑制することができる。【選択図】図３
2018080455.tif 000002
【特許請求の範囲】
【請求項１】
便器本体と、この便器本体へ供給する洗浄水を貯水する貯水タンクと、前記便器本体と前記貯水タンクとを連通する通水管と、前記貯水タンクの内部へ吸気を行う吸気口部と、前記貯水タンク内の水位により上下動して前記吸気口部を開閉する逆止弁と、を備えており、
前記通水管は、
便器洗浄時において貯水タンク内の洗浄水を前記便器本体へ供給するための洗浄水供給管と、前記貯水タンク内の止水水位よりも上方においてその一端が開口し、前記貯水タンク内の洗浄水を前記便器本体へ逃がすことができるオーバーフロー管と、を有し、
前記逆止弁は、
前記貯水タンク内の水位によって前記逆止弁に作用する浮力と前記逆止弁の自重とが、前記逆止弁全体が水に浸かった状態において釣り合うように構成されている水洗大便器。
【請求項２】
前記逆止弁は、前記貯水タンク内の水位により上下動する逆止弁本体と、前記逆止弁が前記吸気口部を閉鎖するときに前記吸気口部と当接する弁体と、を有し、
前記逆止弁は、
前記逆止弁本体が比重の異なる少なくとも２種以上の材質から構成されることで比重が調整されている請求項１に記載の水洗大便器。
【請求項３】
前記吸気口部は、前記逆止弁と当接する弁座と、前記弁座よりも上方において洗浄水を貯溜するための貯溜部と、を有する請求項１または２に記載の水洗大便器。
【発明の詳細な説明】
【技術分野】
【０００１】
本発明は、貯水タンクを備えた水洗大便器に関する。
【背景技術】
【０００２】
従来、リム吐水口及びジェット吐水口が形成されたボウル部と、水を貯水する貯水タンクと、を備え、リム吐水口には水道から洗浄水を直接供給し、ジェット吐水口には貯水タンク内に貯水された洗浄水を加圧して供給するようにした水洗大便器が知られている（例えば、特許文献１）。これらの水洗大便器の貯水タンクには、内部の圧力の増減を抑制するように、空気を置換するための吸気口が設けられている。
【先行技術文献】
【特許文献】
【０００３】
【特許文献１】特開２０１３−２２７８５２号公報
【発明の概要】
【発明が解決しようとする課題】
【０００４】
上述した従来の貯水タンクにおいては、貯水タンク内の止水水位からオーバーフローした洗浄水を便器本体に排出する通水管が設けられるが、オーバーフローした洗浄水が流れ込む通水管内が洗浄水で満たされる前にフロートが浮上して吸気口がシールされると、貯水タンク内の空気の逃げ場がなくなる。その結果、逃げ場のなくなった空気は貯水タンクから押し出される形で通水管を通り、便器本体に排出されるときに異音が発生して使用者に不快感を与えてしまう。
【０００５】
本発明は、上述した問題を解決するためになされたものであり、内部の圧力の増減を抑制するように空気を置換するための吸気口が設けられた貯水タンクを備えた水洗大便器において、貯水タンク内の洗浄水がオーバーフロー管を通して便器本体へ排出されるときに異音が発生することを抑制した水洗大便器を提供することを目的とする。
【課題を解決するための手段】
【０００６】
本発明の一態様に係る水洗大便器は、便器本体と、この便器本体へ供給する洗浄水を貯水する貯水タンクと、前記便器本体と前記貯水タンクとを連通する通水管と、前記貯水タンクの内部へ吸気を行う吸気口部と、前記貯水タンク内の水位により上下動して前記吸気口部を開閉する逆止弁と、を備えており、前記通水管は、便器洗浄時において貯水タンク内の洗浄水を前記便器本体へ供給するための洗浄水供給管と、前記貯水タンク内の止水水位よりも上方においてその一端が開口し、前記貯水タンク内の洗浄水を前記便器本体へ逃がすことができるオーバーフロー管と、を有し、前記逆止弁は、前記貯水タンク内の水位によって前記逆止弁に作用する浮力と前記逆止弁の自重とが、前記逆止弁全体が水に浸かった状態において釣り合うように構成されている。
【０００７】
この構成によれば、逆止弁は、貯水タンク内の水位によって逆止弁に作用する浮力と逆止弁の自重とが、逆止弁全体が水に浸かった状態において釣り合うように構成されている。つまり、逆止弁は、少なくとも逆止弁全体が水に浸かった後に上方への移動が開始するように構成されているため、オーバーフロー管がなるべく洗浄水で満たされた後に吸気口部が閉鎖される。よって、貯水タンク内の空気がほぼ排出された後に吸気口部が閉鎖されるため、貯水タンク内の洗浄水がオーバーフロー管を通して便器本体へ排出されるときに異音が発生することを抑制することができる。
【０００８】
本発明の一態様に係る水洗大便器において、好ましくは、前記逆止弁は、前記貯水タンク内の水位により上下動する逆止弁本体と、前記逆止弁が前記吸気口部を閉鎖するときに前記吸気口部と当接する弁体と、を有し、前記逆止弁は、前記逆止弁本体が比重の異なる少なくとも２種以上の材質から構成されることで比重が調整されている。
【０００９】
一般的に、逆止弁に作用する浮力は、逆止弁の比重および逆止弁の大きさに起因している。比重については、比重の大きさによっては細かい比重の選択が可能な１種の材質のものが存在しているとは限らないため、逆止弁を狙いの浮力に調整して設計するときに逆止弁の比重を１種の材質によって調整することは難しい。そのため、水に対して逆止弁に作用する浮力を狙いの浮力に調整するときには、逆止弁の大きさで調整する方法がよく知られている。
しかし、近年の水洗大便器の多機能化に伴って設置スペースの制約が生じてきており、例えば逆止弁の大きさを大きくして狙いの浮力に調整して設計することが難しくなってきている。また、逆止弁の大きさを変えることで、貯水タンクの他の構成についても設計を変更する必要が生じてくるため、狙いの浮力に調整する際はなるべく逆止弁の大きさを変えずに調整できることが好ましい。
この構成によれば、逆止弁は、逆止弁本体が比重の異なる少なくとも２種以上の材質から構成されることで比重が調整されており、逆止弁に作用する浮力をより確実に調整して設計することができる。また、逆止弁に作用する浮力を調整するために逆止弁の大きさを変える必要が無いため、貯水タンクの設計自由度を上げることができる。
【００１０】
本発明の一態様に係る水洗大便器において、好ましくは、前記吸気口部は、前記逆止弁と当接する弁座と、前記弁座よりも上方において洗浄水を貯溜するための貯溜部と、を有する。
【００１１】
この構成によれば、逆止弁を上記のように構成することで吸気口部から洗浄水が溢れやすくなった水洗大便器において、逆止弁が弁座に当接する前に弁座よりも上方に溢れ出た洗浄水を吸気口部に設けられた貯溜部に貯溜させることで、洗浄水が貯水タンク外に溢れ出ることを抑制することができる。
【発明の効果】
【００１２】
本発明によれば、内部の圧力の増減を抑制するように空気を置換するための吸気口が設けられた貯水タンクを備えた水洗大便器において、貯水タンク内の洗浄水がオーバーフロー管を通して便器本体へ排出されるときに異音が発生することを抑制することができる。
【図面の簡単な説明】
【００１３】
【図１】本発明の一実施形態に係る水洗大便器を示す構成図である。
【図２】本発明の一実施形態に係る水洗大便器のバルブユニットを示す上面図である。
【図３】図２のＩＩＩ−ＩＩＩ一部断面図である。
【発明を実施するための形態】
【００１４】
以下、本発明の実施の形態について添付図面を参照しながら説明する。なお、各図面中、同様の構成要素には同一の符号を付して詳細な説明は適宜省略する。
【００１５】
＜水洗大便器の構成＞
まず、図１を参照して、本発明の実施形態に係る水洗大便器について説明する。図１は、本発明の一実施形態に係る水洗大便器を示す構成図である。
【００１６】
図１に示すように、本発明の一実施形態に係る水洗大便器１００は、トイレ室の床面（図示せず）に載置される便器本体２００と、この便器本体２００の後方に配置される機能部３００と、を備える。
【００１７】
便器本体２００は、汚物を受けるボウル部２１０と、このボウル部２１０の底部から後方へ延びる排水トラップ管路２２０と、を有する。ボウル部２１０には、リム吐水を行うリム吐水口２１２及びジェット吐水を行うジェット吐水口２１４が形成されている。リム吐水口２１２は、ボウル部２１０の左側上部後方に形成され、ボウル部２１０の上縁に沿って洗浄水を吐出する。ジェット吐水口２１４は、ボウル部の底部に形成され、排水トラップ管路２２０に向けて洗浄水を吐出する。排水トラップ管路２２０は、封水を形成するとともに、排水ソケット（図示せず）を介して建物躯体の下水配管（図示せず）と連通している。
【００１８】
機能部３００は、リム吐水及びジェット吐水を行うために制御部（図示せず）によって制御されるバルブユニット６００と、このバルブユニット６００の下流に設けられ洗浄水が貯水される貯水タンク８００と、この貯水タンク８００内の下流に設けられ洗浄水を加圧する加圧ポンプ９００と、が設けられている。
【００１９】
バルブユニット６００の上流側には、給水源（図示せず）からの洗浄水を供給する給水路３２０が接続される。バルブユニット６００の下流側には、リム吐水口２１２に洗浄水を供給するためのリム側給水路３４０、及び、貯水タンク８００に洗浄水を供給するためのタンク側給水路３６０が接続されている。
【００２０】
また、バルブユニット６００は、定流量弁６２０と、この定流量弁６２０の下流に設けられるダイヤフラム式の主弁６４０と、この主弁６４０の下流に設けられる給水路切替弁６６０と、この給水路切替弁６６０の下流に設けられるバキュームブレーカ６８０と、を有する。
定流量弁６２０は、給水路３２０から定流量弁６２０に流れ込んで下流側へ向かう洗浄水の流量を一定にする。主弁６４０は、その開閉により、リム吐水口２１２及びジェット吐水口２１４における洗浄水の吐水と止水とを切り替える。給水路切替弁６６０は、リム側給水路３４０またはタンク側給水路３６０へ向けて洗浄水を供給する。また、給水路切替弁６６０は、リム側給水路３４０及びタンク側給水路３６０にともに同じタイミングにて洗浄水を供給可能であって、リム側給水路３４０及びタンク側給水路３６０へ供給する洗浄水の量の割合を任意に変更できる。バキュームブレーカ６８０は、上流側への洗浄水の逆流を抑制するものであり、排水路３９０により貯水タンク８００と接続される。
【００２１】
貯水タンク８００は、貯水を行うタンク本体８２０と、タンク本体８２０に設けられタンク側給水路３６０が接続される給水側逆止弁８４０と、排水路３９０が接続されるＶＢ側逆止弁８６０と、を有する。
【００２２】
タンク本体８２０の下部には、ポンプ側給水路３７０が接続されており、このポンプ側給水路３７０の下流端には加圧ポンプ９００が接続されている。さらに、加圧ポンプ９００とジェット吐水口２１４はジェット側給水路３８０により接続されており、便器洗浄時において加圧ポンプ９００が、タンク本体８２０に貯水された洗浄水を加圧してジェット側給水路３８０を通してジェット吐水口２１４まで供給するようになっている。
また、タンク本体８２０の内部には、上端フロートスイッチ（図示せず）及び下端フロートスイッチ（図示せず）が配置されており、タンク本体８２０内の水位を検出できるようになっている。上端フロートスイッチは、タンク本体８２０内の水位が所定の貯水水位に達するとオンに切り替わり、制御部はこれを検知して、主弁６４０を閉鎖させる。一方、下端フロートスイッチは、タンク本体８２０内の水位が所定の水位まで低下するとオンに切り替わり、制御部はこれを検知して加圧ポンプ９００を停止させる。
【００２３】
給水側逆止弁８４０は、タンク本体８２０からタンク側給水路３６０への逆流を抑止している。ＶＢ側逆止弁８６０は、タンク本体８２０から排水路３９０への逆流を抑止している。
【００２４】
タンク本体８２０には、タンク本体８２０内の便器洗浄開始前における止水水位ＷＬよりも上方において開口するオーバーフロー吐水口８８０が設けられている。また、このオーバーフロー吐水口８８０とジェット側給水路３８０とを接続するオーバーフロー管８９０が設けられており、タンク本体８２０内の止水水位ＷＬから溢れた洗浄水を、オーバーフロー管８９０からジェット側給水路３８０を通してジェット吐水口２１４へ逃がすことができるようになっている。さらに、オーバーフロー管８９０には、ジェット側給水路３８０内を流れる洗浄水がオーバーフロー管８９０を通してタンク本体８２０内へと逆流することを抑制するためのＯＦ側逆止弁８９２が設けられている。
【００２５】
＜バキュームブレーカの構成＞
次に、図２を参照して、本発明の一実施形態に係る水洗大便器のバキュームブレーカについて説明する。図２は、本発明の一実施形態に係る水洗大便器のバルブユニットを示す上面図である。
【００２６】
バキュームブレーカ６８０は、給水路切替弁６６０の下流に設けられリム側給水路３４０へ通じるリム側入水口（図示せず）と、このリム側入水口を開閉するリム側弁体（図示せず）と、このリム側弁体を通過した洗浄水が流入するリム側水流路（図示せず）と、このリム側水流路を通過した洗浄水をリム側給水路３４０へ流出させるリム側出水口６８４ａと、を有する。さらに、図２に示すように、リム側弁体の上方には円筒状のリム側大気導入口６８５ａが形成されている。
同様に、バキュームブレーカ６８０は、給水路切替弁６６０の下流に設けられタンク側給水路３６０へ通じるタンク側入水口（図示せず）と、このタンク側入水口を開閉するタンク側弁体（図示せず）と、このタンク側弁体を通過した洗浄水が流入するタンク側水流路（図示せず）と、このタンク側水流路を通過した洗浄水をタンク側給水路３６０へ流出させるタンク側出水口６８４ｂと、を有する。さらに、図２に示すように、タンク側弁体の上方には円筒状のタンク側大気導入口６８５ｂが形成されている。
また、リム側大気導入口６８５ａ及びタンク側大気導入口６８５ｂの周囲には、リム側大気導入口６８５ａ及びタンク側大気導入口６８５ｂを取り囲むように水受け部６８６が形成されている。
【００２７】
リム側弁体は、非通水時においては、その自重によりリム側入水口に形成されたシート面に着座して、リム側入水口を閉鎖している。この際、リム側水流路とリム側大気導入口６８５ａは連通されている。また、通水時においては、リム側弁体は流入する洗浄水の水勢により上方に押し上げられ、リム側大気導入口６８５ａの下端に形成されているシート面に着座して、リム側大気導入口６８５ａが閉鎖される。この際、リム側入水口とリム側出水口６８４ａは連通される。
同様に、タンク側弁体は、非通水時においては、その自重によりタンク側入水口に形成されたシート面に着座して、タンク側入水口を閉鎖している。この際、タンク側水流路とタンク側大気導入口６８５ｂは連通されている。また、通水時においては、タンク側弁体は流入する洗浄水の水勢により上方に押し上げられ、タンク側大気導入口６８５ｂの下端に形成されているシート面に着座して、タンク側大気導入口６８５ｂが閉鎖される。この際、タンク側入水口とタンク側出水口６８４ｂは連通される。
【００２８】
水受け部６８６は、リム側大気導入口６８５ａ及びタンク側大気導入口６８５ｂの出口部分を取り囲むように形成され、上面が開放された上面が開放された箱状である。この水受け部６８６は、リム側弁体やタンク側弁体が、リム側大気導入口６８５ａ及びタンク側大気導入口６８５ｂを閉鎖する際等に、リム側大気導入口６８５ａ及びタンク側大気導入口６８５ｂから溢れ出た洗浄水を受け入れるように構成されている。
また、水受け部６８６の底面には、排水口６８６ａが開口され、この排水口６８６ａと貯水タンク８００とが排水路３９０により接続されている。これにより、リム側大気導入口６８５ａ及びタンク側大気導入口６８５ｂから溢れ出た洗浄水は、水受け部６８６に入り、排水口６８６ａから排水路３９０を通って貯水タンク８００へと排水される。また、水受け部６８６の対面は、排水口６８６ａに向けて段階的に傾斜している。
【００２９】
＜逆止弁の構成＞
次に、図３を参照して、本発明の一実施形態に係る水洗大便器のＶＢ側逆止弁について説明する。図３は、図２のＩＩＩ−ＩＩＩ一部断面図である。
【００３０】
図３に示すように、タンク本体８２０は、タンク本体８２０と排水口６８６ａとを連通する導入部８５０を備えている。
導入部８５０は、タンク本体８２０の内部と外部とを連通する連通流路８５２と、連通流路８５２の上流端部に設けられた吸気口部８５４と、連通流路８５２の内壁から内部に向けて突出し連通流路８５２の流れ方向（図３の上下方向）に直交する断面の断面積を狭める絞り部８５６と、を有する。また、吸気口部８５４と絞り部８５６との間には、ＶＢ側逆止弁８６０が設けられている。このＶＢ側逆止弁８６０は、貯水タンク８００内の水位により上下動して吸気口部８５４を開閉するものである。
【００３１】
吸気口部８５４は、吸気口８５４ａを形成し、排水路３９０と連通することで、排水路３９０を介して水受け部６８６の排水口６８６ａからタンク本体８２０へと吸気を行う。また、絞り部８５６側へ向けて突出した弁座８５４ｂが吸気口８５４ａを取り囲むように形成され、吸気口８５４ａと弁座８５４ｂとの間には、ＶＢ側逆止弁８６０によって吸気口部８５４が閉鎖されたときに洗浄水を貯溜することができる貯溜部８５４ｃが設けられている。
絞り部８５６は、連通流路８５２の内壁から内部に向けて突出することで連通流路８５２に水平断面円形状の絞り開口を形成する。
【００３２】
ＶＢ側逆止弁８６０は、絞り部８５６を上方から覆う逆止弁本体８６２と、逆止弁本体８６２に設けられ弁座８５４ｂに当接することで弁座８５４ｂとの間の水密を保持可能な弁体８６４と、を有する。また、ＶＢ側逆止弁８６０は、ＶＢ側逆止弁８６０全体が水に浸かった状態において、タンク本体８２０内の水位によって作用する浮力とその自重とが釣り合うように構成されている。
逆止弁本体８６２は、下方が開放され上方が閉鎖された水平断面円形状の筒状に形成され、吸気口部８５４と絞り部８５６との間にて摺動可能に設けられる。また、逆止弁本体８６２の外周縁は弁座８５４ｂの外周縁よりも大きく形成される。
このような構成により、通常時においては、逆止弁本体８６２は絞り部８５６を上方から覆った状態で絞り部８５６に載置される一方で、タンク本体８２０から連通流路８５２を介して排水路３９０へ水が逆流しようとした際には、タンク本体８２０内の洗浄水の水位が上昇して絞り部８５６から連通流路８５２内に洗浄水が流入する。絞り部８５６から流入して連通流路８５２内に溜まった洗浄水の水位が逆止弁本体８６２の上端部８６２ａまで上昇したときに、ＶＢ側逆止弁８６０に作用する浮力とＶＢ側逆止弁８６０の自重とが釣り合った状態となる。そして、これよりも連通流路８５２内の洗浄水の水位が上昇すると、ＶＢ側逆止弁８６０に作用する浮力がＶＢ側逆止弁８６０の自重に打ち勝って逆止弁本体８６２が上方へ押し上げられ、ＶＢ側逆止弁８６０の弁体８６４が吸気口部８５４の弁座８５４ｂに着座して弁座８５４ｂとの間の水密を保持し、吸気口８５４ａを閉鎖する。
【００３３】
ＶＢ側逆止弁８６０は、ＶＢ側逆止弁８６０全体が水に浸かった状態において、タンク本体８２０内の水位によって作用する浮力とその自重とが釣り合うような構成となるように、逆止弁本体８６２が比重の異なる２種の材質から構成することで、比重が調整されている。
具体的に、逆止弁本体８６２の材質としては、比重０．９のＰＰ（ポリプロピレン）と比重２．７のタルク（ケイ酸塩鉱物の一種。別名、滑石という）とを濃度比８：２（ＰＰ：タルク）となるように混ぜ合わせて形成されている。この構成により、逆止弁本体８６２の比重が、タンク本体８２０内の水位によってＶＢ側逆止弁８６０に作用する浮力が狙いの浮力となるように調整して設計されている。
【００３４】
タンク本体８２０内の水位により逆止弁本体８６２が上方へ押し上げられて吸気口８５４ａが閉鎖されるまでに弁座８５４ｂよりも上方に逆流した洗浄水の一部は、貯溜部８５４ｃ内に貯溜される。そして、タンク本体８２０内の水位が下降することでＶＢ側逆止弁８６０が下方へ移動して弁体８６４と弁座８５４ｂとの間の水密状態が解除されたときに、貯溜部８５４ｃ内に貯溜されていた洗浄水はタンク本体８２０内へと流出する。
【００３５】
＜作用効果＞
次に、本実施形態における水洗大便器の作用効果を説明する。
【００３６】
本実施形態において、ＶＢ側逆止弁８６０は、ＶＢ側逆止弁８６０全体が水に浸かった状態において、タンク本体８２０内の水位によって作用する浮力とその自重とが釣り合うように構成されている。これにより、オーバーフロー管８９０がなるべく洗浄水で満たされた後に吸気口部８５４が閉鎖される。つまり、貯水タンク８００内の空気がほぼ排出された後に吸気口部８５４が閉鎖されるため、貯水タンク８００内の洗浄水がオーバーフロー管８９０を通して便器本体２００（ジェット吐水口２１４）から排出されるときに異音が発生することを抑制することができる。
【００３７】
また、ＶＢ側逆止弁８６０は、ＶＢ側逆止弁８６０全体が水に浸かった状態において、タンク本体８２０内の水位によって作用する浮力とその自重とが釣り合うような構成となるように、逆止弁本体８６２が比重の異なるＰＰ（ポリプロピレン）とタルクとの２種の材質を混ぜ合わせて形成されることで逆止弁本体８６２の比重が調整されている。これにより、ＶＢ側逆止弁８６０の大きさを変えることなく狙いの浮力となるように調整して設計することができるため、貯水タンク８００の設計自由度を上げることができる。
【００３８】
また、タンク本体８２０内の水位により逆止弁本体８６２が上方へ押し上げられて吸気口８５４ａが閉鎖されるまでに弁座８５４ｂよりも上方に逆流した洗浄水の一部は、貯溜部８５４ｃ内に貯溜される。これにより、洗浄水が貯水タンク８００外に溢れ出ることを抑制することができる。
【００３９】
以上、本願の開示する技術の実施形態について説明したが、本願の開示する技術は、上記に限定されるものではない。
【００４０】
上記実施形態において、ＶＢ側逆止弁８６０は、ＶＢ側逆止弁８６０全体が水に浸かった状態において、タンク本体８２０内の水位によって作用する浮力とその自重とが釣り合うような構成となるように、逆止弁本体８６２が比重の異なるＰＰ（ポリプロピレン）とタルクとの２種の材質を混ぜ合わせて形成されることとしたが、本発明はこれに限らない。
【００４１】
例えば、逆止弁本体８６２は、比重の異なる材質で構成された複数の部品を接着、溶着、嵌合等して１部品として構成することにより、逆止弁本体８６２の比重を調整することとしてもよい。なお、このような構成にする場合、逆止弁本体８６２は貯水タンク８００内の水位により上下動する性質上、比重の異なる材質で構成された複数の部品を上下で異ならせることが好ましい。
【００４２】
また、逆止弁本体８６２は、比重の異なる２種の材質ではなく、比重の異なる３種以上の材質で構成されてもよい。
【００４３】
また、逆止弁本体８６２を構成する比重の異なる２種の材質としては、ＰＰ（ポリプロピレン）とタルクとの組み合わせでなくとも、例えば、ＰＰ（ポリプロピレン）とＧＦ（グラスファイバー）や、ＡＢＳ樹脂とＧＦ（グラスファイバー）、樹脂と金属など、使用環境などに応じて適切な材質の組み合わせを選択して逆止弁本体８６２の比重を調整することが可能である。
なお、樹脂と金属の組み合わせの場合は、経年時、錆による影響で比重が変化してしまう恐れがあるという観点でいうと、金属を用いるのはあまり好ましくない。
【００４４】
上記実施形態においては、タンク本体８２０内の止水水位ＷＬから溢れた洗浄水を、オーバーフロー管８９０からジェット側給水路３８０を通してジェット吐水口２１４へ逃がすことができるようになっていることとしたが、本発明はこれに限らず、例えば、オーバーフロー管８９０をジェット側給水路３８０でなくリム側給水路３４０に接続して、リム吐水口２１２から逃がすこととしてもよい。
【００４５】
上記実施形態においては、絞り部８５６から流入して連通流路８５２内に溜まった洗浄水の水位が逆止弁本体８６２の上端部８６２ａまで上昇したときに、ＶＢ側逆止弁８６０に生じる浮力とＶＢ側逆止弁８６０の自重とが釣り合った状態となることとしたが、本発明はこれに限らず、例えば、連通流路８５２内に溜まった洗浄水の水位が逆止弁本体８６２の上端部８６２ａよりもさらに上方まで上昇したときに、ＶＢ側逆止弁８６０に生じる浮力とＶＢ側逆止弁８６０の自重とが釣り合った状態となることとしてもよい。つまり、本発明においては、少なくとも連通流路８５２内に溜まった洗浄水の水位が逆止弁本体８６２の上端部８６２ａまで上昇したときに、ＶＢ側逆止弁８６０に生じる浮力とＶＢ側逆止弁８６０の自重とが釣り合った状態となるものである。
【００４６】
前述した各実施の形態が備える各要素は、技術的に可能な限りにおいて組み合わせることができ、これらを組み合わせたものも本発明の特徴を含む限り本発明の範囲に包含される。
【符号の説明】
【００４７】
１００    水洗大便器
２００    便器本体
２１０    ボウル部
２１２    リム吐水口
２１４    ジェット吐水口
２２０    排水トラップ管路
３００    機能部
３２０    給水路
３４０    リム側給水路
３６０    タンク側給水路
３７０    ポンプ側給水路
３８０    ジェット側給水路（通水管、洗浄水供給管）
３９０    排水路
６００    バルブユニット
６２０    定流量弁
６４０    主弁
６６０    給水路切替弁
６８０    バキュームブレーカ
６８４ａ  リム側出水口
６８４ｂ  タンク側出水口
６８５ａ  リム側大気導入口
６８５ｂ  タンク側大気導入口
６８６    水受け部
６８６ａ  排水口
８００    貯水タンク
８２０    タンク本体
８４０    給水側逆止弁
８５０    導入部
８５２    連通流路
８５４    吸気口部
８５４ａ  吸気口
８５４ｂ  弁座
８５４ｃ  貯溜部
８５６    絞り部
８６０    ＶＢ側逆止弁（逆止弁）
８６２    逆止弁本体
８６４    弁体
８８０    オーバーフロー吐水口
８９０    オーバーフロー管（通水管）
８９２    ＯＦ側逆止弁
９００    加圧ポンプ
【図１】
2018080455.tif 000003
【図２】
2018080455.tif 000004
【図３】
2018080455.tif 000005